(57)【要約】【課題】肌水分量等の肌情報に基づいた空気調和機の運転を行うことができる空気調和機を提供すること。【解決手段】肌情報を検出する肌情報検出部２５及び肌情報を送信する赤外線送信部３６とを備えたリモートコントローラ３０と、取り込んだ空気の空気調和を行い送風を行う室内機１１と、リモートコントローラ３０からの肌情報信号を受信する赤外線受信部１５と、少なくとも赤外線受信部１５で受信した肌情報信号に基づいて室内機１１の運転制御を行う制御部１７とを備えている。【選択図】      図１
2005241181.tif 000002
【特許請求の範囲】
【請求項１】
空気調和機を遠隔操作するための操作部と、
肌情報を検出する肌情報検出部と、
この肌情報検出部により検出された肌情報に基づいて肌情報を表示する表示部とを備えていることを特徴とするリモートコントローラ。
【請求項２】
肌情報を検出する肌情報検出部及び肌情報を送信する送信部とを備えたリモートコントローラと、
取り込んだ空気の空気調和を行い送風を行う空気調和部と、
前記リモートコントローラからの肌情報信号を受信する受信部と、
少なくとも前記受信部で受信した肌情報信号に基づいて前記空気調和部の運転制御を行う制御部とを備えていることを特徴とする空気調和機。
【請求項３】
加湿装置または噴霧装置をさらに備え、
前記制御部は、前記肌情報に基づいて前記加湿装置または噴霧装置を運転する運転制御部を備えていることを特徴とする請求項２に記載の空気調和機。
【発明の詳細な説明】
【技術分野】
【０００１】
本発明は、空気調和機を遠隔操作するためのリモートコントローラ及び空気調和機に関し、特に肌情報検出機能を有しているものに関する。
【背景技術】
【０００２】
人間の肌の水分量を測定することができる肌水分量測定装置が知られている（例えば特許文献１参照）。この肌水分量測定装置により肌水分量を測定することができるので、化粧水や肌用クリームにより肌の手入れを行っていた。
【特許文献１】特開２００３−１６９７８７号公報
【発明の開示】
【発明が解決しようとする課題】
【０００３】
上述した肌水分量測定装置であると次のような問題があった。すなわち、肌水分量は環境の温度、湿度や気流によって影響されるにもかかわらず肌水分量測定装置ではそのような環境について何ら検知するものではなかった。特に、空気調和機を運転する環境下にあっては、気流等により肌が乾燥しみずみずしさを失ったりすることがあった。
【０００４】
そこで本発明は、肌水分量等の肌情報に基づいた空気調和機の運転を行うことができる空気調和機及びリモートコントローラを提供することを目的としている。
【課題を解決するための手段】
【０００５】
上記課題を解決し目的を達成するために、本発明のリモートコントローラ及び空気調和機は次のように構成されている。
【０００６】
（１）空気調和機を遠隔操作するための操作部と、肌情報を検出する肌情報検出部と、この肌情報検出部により検出された肌情報に基づいて肌情報を表示する表示部とを備えていることを特徴とする。
【０００７】
（２）肌情報を検出する肌情報検出部及び肌情報を送信する送信部とを備えたリモートコントローラと、取り込んだ空気の空気調和を行い送風を行う空気調和部と、前記リモートコントローラからの肌情報信号を受信する受信部と、少なくとも前記受信部で受信した肌情報信号に基づいて前記空気調和部の運転制御を行う制御部とを備えていることを特徴とする。
【０００８】
（３）上記（２）に記載された空気調和機であって、加湿装置または噴霧装置をさらに備え、前記制御部は、前記肌情報に基づいて前記加湿装置または噴霧装置を運転する運転制御部を備えていることを特徴とする。
【発明の効果】
【０００９】
本発明によれば、肌水分量等の肌情報に基づいた空気調和機の運転を行うことが可能となる。
【発明を実施するための最良の形態】
【００１０】
図１は本発明の一実施の形態に係る空気調和機１０と、この空気調和機１０を操作するためのリモートコントローラ３０を示す説明図、図２はリモートコントローラ３０の要部を拡大して示す正面図である。
【００１１】
空気調和機１０は、室内に配置された室内機１１と、室外機（不図示）とを備えている。室内機１１は、筐体１２を有し、筐体１２には空気取入口１３、空気吹出口１４、赤外線受信部１５及び表示部１６が設けられている。なお、室内機１１内部には熱交換器、空気清浄器、送風ファン及び全体の連携制御を行う制御部１７が設けられている。
【００１２】
また、空気調和機１０には、外部機器２０が接続されている。外部機器２０は、空気調和機１０からの指令により加湿等の付属的な機能を行うことが可能である。なお、外部機器２０は室内機１１と一体的に構成されていてもよい。
【００１３】
リモートコントローラ３０は、筐体３１を備えている。筐体３１表面には、表示部３２と、操作ボタン３３と、「肌ケア」ボタン３４とが設けられている。また、筐体３１先端には肌情報検出器３５と、赤外線送信部３６が設けられている。筐体３１内部にはこれらを連携制御する制御部３７が内蔵されている。
【００１４】
このように構成された空気調和機１０及びリモートコントローラ３０は次のようにして用いられる。なお、ここでは３つのモードについて説明する。
【００１５】
第１のモードは、自動モードであって室内機１１の制御部１７で肌情報を分析・判定するものである。すなわち、図３に示すように、リモートコントローラ３０の肌情報検出器３５を操作者の肌に押し付けることにより、肌水分量等の肌情報を検出する（ＳＴ１０）。次に、操作者はリモートコントローラ３０の「肌ケア」ボタン３４を押し下げることにより、肌情報を空気調和機１０の室内機１１に送信する（ＳＴ１１）。室内機１１内の制御部１７において、肌情報を分析し、判定する（ＳＴ１２）。この際、生体情報と生体の状態とが関連付けされた生体情報データベースが参照される（ＳＴ１３）。肌情報により分析されるものとしては、肌水分量、肌油分量、肌年齢、疲れ度、ストレス度、睡眠度等の肌の状態や体調等である。
【００１６】
次に、最適な運転モード、すなわち制御要素（温度、湿度、気流、空気質、芳香、蒸散）の組合せが決定される（ＳＴ１４）。運転モードとしては、例えば、肌が乾燥している場合には、超低能力運転による気流感の無い空調モードや、ルーバを人の居ない上下・左右方向に向け、人に直接風を当てない気流設定、肌温度が冷えている場合には、輻射暖房や床暖房等の暖房モード、ほてってる場合にはゆらぎ風等で肌に負担の少ない冷房モード、肌が湿り過ぎの場合には、肌に良いとされる５０％ＲＨ程度に調節する自動除湿モード等がある。
【００１７】
決定された運転モードに基づいて空気調和機１０の運転が行われ、温湿度、気流、空気清浄動作が行われ、ＳＴ１０に戻る（ＳＴ１５）。一方、加湿量、芳香、蒸散については、外部機器２０に制御信号が送られ、外部機器２０から芳香・蒸散が行われる（ＳＴ１６）。芳香・蒸散されるものとしては、保湿効果等があるアロエエキス、ローズマリーエキス、エラスチン、ヒアルロン酸、コラーゲン、水蒸気等の物質である。
【００１８】
第２のモードは、自動モードであってリモートコントローラ３０の制御部３７で肌情報を分析・判定するものである。すなわち、図４に示すように、リモートコントローラ３０の肌情報検出器３５を操作者の肌に押し付けることにより、肌水分量等の肌情報を検出する（ＳＴ２０）。制御部３７において、肌情報を分析し、判定する（ＳＴ２１）。この際、生体情報と生体の状態とが関連付けされた生体情報データベースが参照される（ＳＴ２２）。
【００１９】
次に、最適な運転モードが決定される（ＳＴ２３）。決定された制御要素及び制御量に基づいて空気調和機１０の運転が行われ、温湿度、気流、空気清浄動作が行われ、ＳＴ２０に戻る（ＳＴ２４）。一方、加湿量、芳香、蒸散については、外部機器２０に制御信号が送られ、外部機器２０から芳香、蒸散が行われる（ＳＴ２５）。
【００２０】
第３のモードは、手動モードであってリモートコントローラ３０の制御部３７で肌情報を分析・判定し操作者の判断を待つモードである。すなわち、図５に示すように、リモートコントローラ３０の肌情報検出器３５を操作者の肌に押し付けることにより、肌水分量等の肌情報を検出する（ＳＴ３０）。制御部３７において、肌情報を分析し、判定する（ＳＴ３１）。この際、生体情報と生体の状態とが関連付けされた生体情報データベースが参照される（ＳＴ３２）。
【００２１】
次に、最適な運転モードが決定され、操作者へ表示部３２により肌情報及び推奨される運転モードが表示される（ＳＴ３３）。推奨される運転モードとしては、例えば、最適温湿度、加湿モード、快眠モード、美肌モード等の肌の状態や体調に合せた空気調和運転である。なお、表示部３２には肌情報が表示されていないときは、通常の空気調和機としての表示がなされており、表示部を共用している。
【００２２】
次に、操作者は表示された肌情報及び運転モードに基づいて操作ボタン３３を押し下げることにより操作信号が空気調和機１１に送られる。
【００２３】
決定された運転モードに基づいて空気調和機１０の運転が行われ、温湿度、気流、空気清浄動作が行われ、ＳＴ２０に戻る（ＳＴ２４）。一方、加湿量、芳香、蒸散については、外部機器２０に制御信号が送られ、外部機器２０から芳香、蒸散が行われる（ＳＴ２５）。
【００２４】
例えば、肌年齢検出器３５で測定・分析した結果、肌年齢とストレス肌という肌情報及び快眠モードの推奨が表示される。操作者がこれにしたがって快眠モードを選択すると、図６に示すように、睡眠中良く眠れるようにするため、温湿度を生体リズムに合わせて運転制御が行われる。
【００２５】
なお、肌情報検出器３５によって検出する肌情報は例えば次のようにして測定する。肌水分量、角質水分量、みずみずしさは、皮膚に交流電流を流し、角質層の電気的特性に着目して間接的に角質層水分量を測定する（キャパシタンス測定法、コンダクタンス測定法）。また、肌油分量は、色彩系等で光沢値を測定してテカリを検出する。
【００２６】
さらに、疲れ度は、ｆ（皮膚血流量、肌水分量、肌油分量）のいずれかによって判定する。また、データを蓄積し、前回または以前のデータと比較して判定する。ストレス度は、ｆ（皮膚血流量、水分蒸散量、肌油分量、はり、しわ、皮膚血流量、瞳孔の縮瞳率）のいずれかによって判定する。また、データを蓄積し、前回または以前のデータと比較して判定する。また、睡眠度は、ｆ（皮膚温、皮膚血流量、皮膚色、肌水分量、肌油分量、心拍）のいずれかによって判定する。
【００２７】
上述したように本実施の形態に係る空気調和機１０及びリモートコントローラ３０によれば、肌の状態に関わりのある空気温湿度や空気質が、肌情報の検出と空気調和機の設定を１つの機器で行うことができるので、操作者は地震の肌の状態を考慮しながら空気調和機や空気清浄器、加湿器等の運転モード選択を手軽に行うことができる。
【００２８】
なお、リモートコントローラ３０は、空気調和機を操作させる機能と肌情報を検出するための機能とを１つの筐体に備えているので、機器単独で使用するよりは小型化することができる。さらに、表示部３２を空気調和機の通常の表示（温度・湿度等）と肌情報の表示とを共用しているので、小型化できるとともに部品コストを抑えることができる。
【００２９】
上述した例では、リモートコントローラ３０で肌情報を検出した後、空気調和機１０を運転する手順を説明したが、リモートコントローラ３０単独で使用することも可能である。例えば、肌情報検出器３５を肌に押し当て肌水分量測定などを行った後、表示部３２に肌水分量を表示させるようにしてもよい。
【００３０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３１】
【図１】本発明の一実施の形態に係る空気調和機を示す説明図。
【図２】同空気調和機のリモートコントローラの要部を示す正面図。
【図３】同空気調和機の動作モードの第１例を示す説明図。
【図４】同空気調和機の動作モードの第２例を示す説明図。
【図５】同空気調和機の動作モードの第３例を示す説明図。
【図６】同空気調和機における快眠モードを示す説明図。
【符号の説明】
【００３２】
１０…空気調和機、１１…室内機、１５…赤外線受信部、１７…制御部、２０…外部機器、３０…リモートコントローラ、３２…表示部、３３…操作ボタン、３４…「肌ケア」ボタン、３５…肌情報検出器、３６…赤外線送信部、３７…制御部。
【図１】
2005241181.tif 000003
【図２】
2005241181.tif 000004
【図３】
2005241181.tif 000005
【図４】
2005241181.tif 000006
【図５】
2005241181.tif 000007
【図６】
2005241181.tif 000008